(57)【要約】      （修正有）【課題】狭い座席間等で足首を自由自在に動かすことで、血行を良くして血栓症を防止したり、また、血液の循環を促して足のむくみや疲労を解消したり、さらには、病人や老人の運動機能回復訓練に使われるリハビリ用健康器具としても使うことができる足置き健康器具の提供。【解決手段】足載せ板２と突起３とからなる健康器具１であって、突起３を足載せ板２の下面略中央箇所に設けることで、足載せ板２に足を載せた状態で、突起３を支点として該足載せ板２をどの方向にも傾斜揺動することが可能である構造となっている。突起３は、略半球状のものとするか、あるいは、回動自在な球体とする構造が考えられ、また、足載せ板上面に足裏指圧用凸部を設ける構造も採り得る。【選択図】図１
2007202605.tif 000002
【特許請求の範囲】
【請求項１】
足載せ板と突起とからなる健康器具であって、突起を足載せ板の下面略中央箇所に設けることで、足載せ板に足を載せた状態で、突起を支点として該足載せ板をどの方向にも傾斜揺動することが可能であることを特徴とする足置き健康器具。
【請求項２】
前記足置き健康器具において、突起が、略半球状であることを特徴とする請求項１に記載の足置き健康器具。
【請求項３】
足載せ板と球体とからなる健康器具であって、足載せ板の下面略中央箇所に球体の直径よりも浅い凹部を設けるとともに、該凹部に球体を回動自在に嵌合装着することで、足載せ板に足を載せた状態で、球体を支点として該足載せ板をどの方向にも傾斜揺動することが可能であるとともに、球体の回動を利用して該足載せ板をスライドすることが可能であることを特徴とする足置き健康器具。
【請求項４】
前記足置き健康器具において、足載せ板の上面における所定箇所に、少なくとも一以上の足裏指圧用凸部を設けたことを特徴とする請求項１から請求項３のいずれかに記載の足置き健康器具。
【発明の詳細な説明】
【技術分野】
【０００１】
本発明は、航空機や車両並びにオフィス内の狭い場所で、同じ姿勢で長く座っていると起きる血栓症や足のむくみ及び疲労を解消し、また、病人や老人の運動機能回復訓練に使用できる健康器具に関するものである。
【背景技術】
【０００２】
飛行機の狭い座席に長時間座っていた乗客が、機内から降りた直後、気圧の変化と水分の不足から足の静脈に血の塊ができて、その血栓が肺に詰まって起きるエコノミー症候群を防止する商品は、現在数多く提案されている。
【０００３】
一方、車両ならびにオフィスで長時間同じ姿勢で座っていると起こる足のむくみや疲れを解消するストレッチ機能を有した商品も、前記同様、数多く提案されている。
【０００４】
他方、病人や老人の運動機能回復訓練に使われるリハビリ用健康器具も、前記同様、種々提供されているが、それらの商品は、機能的に同じ問題を解決する目的にあるにも関わらず、構造的に共通することなく、その上、安価で手軽な健康具が提供されていなかった。
【０００５】
かかる問題に関して、主としてエコノミー症候群を防止する特開２００２−３３６３７５号が提案されているが、その構造は、前後に倒れる揺動の支点が蒲鉾の帯状になっているため、その動きは、前後方向の運動に限定され、足の回復運動に対して充分な運動効果を得られないでいた。
【特許文献１】特開２００２−３３６３７５号公報
【発明の開示】
【発明が解決しようとする課題】
【０００６】
上記問題点に鑑み、本発明は、狭い座席間等で足首を自由自在に動かすことで、血行を良くして血栓症を防止したり、また、血液の循環を促して足のむくみや疲労を解消したり、さらには、病人や老人の運動機能回復訓練に使われるリハビリ用健康器具としても使うことができる足置き健康器具を提供することを目的とする。
【課題を解決するための手段】
【０００７】
前記目的を達成するため、本発明は、足載せ板と突起とからなる健康器具であって、突起を足載せ板の下面略中央箇所に設けることで、足載せ板に足を載せた状態で、突起を支点として該足載せ板をどの方向にも傾斜揺動することが可能である構造となっている。
【０００８】
また、本発明は、前記足置き健康器具において、突起が、略半球状である構造とすることができる。
【０００９】
さらに、本発明は、足載せ板と球体とからなる健康器具であって、足載せ板の下面略中央箇所に球体の直径よりも浅い凹部を設けるとともに、該凹部に球体を回動自在に嵌合装着することで、足載せ板に足を載せた状態で、球体を支点として該足載せ板をどの方向にも傾斜揺動することが可能であるとともに、球体の回動を利用して該足載せ板をスライドすることが可能である構造を採ることができる。
【００１０】
そしてまた、本発明は、前記足置き健康器具において、足載せ板の上面における所定箇所に、少なくとも一以上の足裏指圧用凸部を設けた構造を採用することもできる。
【発明の効果】
【００１１】
本発明にかかる足置き健康器具によれば、飛行機内で利用することにより、狭い座席間で足の血行を良くしてエコノミー症候群を効果的に防止することが可能である。
【００１２】
また、本発明にかかる足置き健康器具によれば、旅行時の移動中やオフィスのデスク等で使用することにより、長時間同じ姿勢で座っていると起こる足のむくみや疲れを効果的に解消することができる。
【００１３】
さらに、本発明にかかる足置き健康器具によれば、病人や老人の運動機能回復訓練にも使うことが可能であって、人にやさしいリハビリ用器具として非常に有効である。
【発明を実施するための最良の形態】
【００１４】
本発明にかかる足置き健康器具は、突起を足載せ板の下面略中央箇所に設けることで、足載せ板に足を載せた状態で、突起を支点として該足載せ板をどの方向にも傾斜揺動することが可能であることを最大の特徴とするもので、以下、本発明にかかる足置き健康器具の実施形態を、図面に基づいて説明する。
【００１５】
図１は、本発明にかかる足置き健康器具１の第一の実施形態を示す斜視図である。該足置き健康器具１は、足載せ板２と突起３とからなり、突起３を足載せ板２の下面略中央箇所に設けた構造となっている。
【００１６】
足載せ板２は、その材質について特に限定はなく、木製や合成樹脂製等が考えられ、一の材質で一体的に成形することもできるし、複数の材質を組み合わせて成型することも可能である。ただし、足を載せる上面については、直接あるいは間接的に肌に触れる感触を考慮すると、木や竹等、天然素材であることがより望ましい。また、遠赤外線を放射するセラミックや炭などの素材を使用すれば、冷え性の解消などに効果的である。形状についても同様に限定はなく、図面に示すような円盤形状や、方形状等、種々の形状とすることが可能であるが、足を載せるという機能上、少なくとも足が載せられる程度の面の広さを有する。
【００１７】
突起３について、上記足載せ板２と同様、その材質に特に限定はなく、木製や合成樹脂製等、種々の材質が考え得る。例えば、足を載せた状態での傾斜揺動の支点として考えると、ある程度の剛性を備えた木製などの材質が考えられ、逆に、騒音防止や緩衝の観点を考慮すると、やや弾性のある合成樹脂製などが考えられる。また、足載せ板２で採用した材質と同一の材質で揃えることも可能であるし、それぞれ別の材質とすることもできる。形状については、特に限定するものではないが、どの方向へも傾斜揺動可能な足載せ板２の支点として機能する関係上、略半球状とすることが望ましい。
【００１８】
図２は、本発明の前記第一の実施形態にかかる足置き健康器具１の断面図である。足載せ板２に突起３を設けるための構造として、埋め込み式や接着剤による貼付式、ビス止め方式など種々の構造が考えられ、特に限定するものではない。尚、図面では、ホゾによって足載せ板２に突起３を取り付けた構造について示している。
【００１９】
図３は、本発明にかかる足置き健康器具１の第二の実施形態を示しており、図３（ａ）は分解斜視図、図３（ｂ）は組立斜視図である。該足置き健康器具１は、足載せ板２の下面略中央箇所に球体５の直径よりも浅い凹部２ａを設けるとともに、該凹部２ａに球体５を回動自在に嵌合装着した構造となっている。
【００２０】
足載せ板２の材質・形状については、上記第一の実施形態と同様である。該足載せ板２の下面略中央箇所には、球体５を嵌合装着するための凹部２ａが設けられている。該凹部２ａは、球体５の直径よりも浅く設けられてあり、したがって、該凹部２ａへ球体５を嵌合装着した状態において、球体５の一部が足載せ板２の下面から突出することとなる。そして、かかる球体５の突出した部分が、足載せ板２を傾斜揺動する際の支点として機能することとなる。
【００２１】
球体５については、その材質に特に限定はなく、木製や合成樹脂製等、種々の材質が考え得るが、回動自在という機能上、ある程度の剛性を備えた木製などの材質が好ましい。また、第一の実施形態における突起３と同様に、足載せ板２で採用した材質と同一の材質で揃えることも可能であるし、それぞれ別の材質とすることもできる。形状については、回動自在な球形状となっている。
【００２２】
球体５を足載せ板２へ嵌合装着する構造としては、該球体５が少なくとも一方向へ回動可能であれば、特に限定するものではない。尚、図面では、球体５に回転軸孔５ａを設けて、該回転軸孔５ａに軸棒６を通し、該軸棒６の両端を軸受け４ａによって支えるコマ４を設け、そのコマ４を足載せ板２の下面略中央箇所に設けた凹部２ａの両脇に設けた切欠き部２ｂに嵌め込み固定することで、球体５を足載せ板２下面の凹部２ａに回動自在に嵌合装着する構造を採用した場合について示している。
【００２３】
また、図面に示すように、球体５の回動を係止するストッパー機構１０を設けることも可能である。かかるストッパー機構１０を設けることで、球体５の回動が不要な場合に、該球体５を足載せ板２の傾斜揺動における支点としてのみ機能させることができる。
【００２４】
図４は、本発明にかかる足置き健康器具１の第三の実施形態を示す斜視図である。該足置き健康器具１は、上記第一・第二の実施形態にかかる足置き健康器具１の足載せ板２上面における所定箇所に、足裏指圧用凸部７を設けた構造となっている。尚、図面では、足載せ板２の形状として略方形状を採用した場合を示しているが、図１に示すような円形状などであってもよいことは言うまでもない。
【００２５】
かかる足裏指圧用凸部７は、少なくとも一以上設けてあれば、その位置や数について特に限定はない。また、材質について特に限定はなく、木製や合成樹脂製等、種々の材質が考えられ、足載せ板２で採用した材質と同一の材質で揃えることも可能であるし、それぞれ別の材質とすることもできる。ただし、直接あるいは間接的に肌に触れる感触を考慮すると、木や竹等、天然素材であることがより望ましく、また、遠赤外線を放射するセラミックや炭などの素材を使用すれば、冷え性の解消などにも効果的である。さらには、該足裏指圧用凸部７内に磁石や水晶、トルマリン等、人体に良い影響を与える磁気や波動を帯びている物質を埋め込んでおくことも効果的である。そしてまた、足裏指圧用凸部７の形状についても同様に限定はないが、足裏への接触を考慮すると、少なくとも上端部は曲面状となっている。
【００２６】
尚、上記各実施形態にかかる足置き健康器具１について、図４に示すように、足載せ板２の上面に滑り止め防止の溝８や傾斜揺動時の騒音を軽減する緩衝材９を夫々設けた構造を採ることも可能である。また、足載せ板２の上面に、磁石や水晶、トルマリン等、人体に良い影響を与える磁気や波動を帯びている物質を埋め込んでおくことも効果的である。
【００２７】
以上の通り構成される足置き健康器具１において、次に、実際の使用状態について図面に基づいて説明する。
【００２８】
図５は、航空機等の乗り物の座席に着座した際の使用状態を示すものである。すなわち、前方座席と自分の座っている座席の間の床に本発明の足置き健康器具１を置き、座った状態で両足を足載せ板２上面に載せる。その状態において、図５（ａ）に示すように、両足でもって足載せ板２を前後に傾斜揺動させたり、あるいは、図５（ｂ）に示すように、両足を交互に持ち上げていわゆる足踏み運動を行うように足載せ板２を左右に傾斜揺動させる。さらには、図５（ｃ）に示すように、足載せ板２を左右に旋回させて両足を交互に突き出すような旋回運動を行うことも可能である。これらの運動を交互に織り交ぜて、自由自在に傾斜揺動及び旋回運動を繰り返すことによって、狭い座席間であってもエコノミー症候群を防止する複合的な足の運動が容易にでき、加えて、オフィス等で長時間同じ姿勢で座っていることから起こる足のむくみやだるさをとる方法も、同様に複合的な運動を行うことで解消することができる。
【００２９】
次に、片足が不自由な人が運動機能回復訓練を行うための使用例について説明する。まず、座った状態で両足を足載せ板２に載せ、図５（ｂ）に示すように、足載せ板２を左右に傾斜揺動させる。その際、丈夫な方の足に力を入れて足載せ板２を一方へ傾斜させると、必然的に不自由である方の足は、てこの原理で持ち上げられる。次に丈夫な方の足の力を抜くと、一方の不自由な足の重みによって足載せ板２は他方へ傾斜する。この運動を繰り返すことによって、片足の運動機能を失った人でも介護者の補助なしで、しかも自分のペースで無理なく機能回復訓練を行うことが可能となる。このことは、両足の筋肉が弱った介護老人の機能回復訓練にも有効な手段を提供するものである。
【００３０】
図６は、本発明にかかる足載せ健康器具１の他の使用例を示す使用状態図である。すなわち、自分の座っている座席の前方の床に足置き健康器具１を置き、座った状態で両足を足載せ板２上面に載せる。その状態において、足載せ板２を前後左右どの方向へも傾斜揺動させることができ、また、足載せ板２を左右に旋回させて両足を交互に突き出すような旋回運動を行うことも可能である。したがって、上記の複合的な足の運動ができるのみならず、足置き健康器具１を前後方向にスライドさせれば足の屈伸運動を行うことができ、また、足置き健康器具１を左右方向にスライドさせれば、足の太ももやウエスト等の引き締めに効果的である。
【００３１】
またさらに、両足を足載せ板２に載せて、仰向けあるいはうつ伏せになって両手をついて腰を浮かせた状態で体を前後にスライドさせると、足の筋肉訓練はもとより背筋や腹筋も同時に鍛えられ、美容やシェープアップに大変効果を発揮する。
【００３２】
図７は、本発明にかかる足載せ健康器具１のさらに他の使用例を示す使用状態図である。すなわち、図面で示すように、足載せ健康器具１を床に置き、両足を足載せ板２に載せた後、両手を広げたり、あらゆる方向へ体を動かしたりしてバランスを取る運動を行うことによって、シェープアップ効果や疲労回復効果が得られ、また、膝周辺の硬くなった筋肉・靭帯がほぐされて、膝痛や腰痛の改善になり、さらには、Ｏ脚やＸ脚の変形予防効果も奏する健康バランサー器具として使用することができる。
【００３３】
加えて、かかる健康バランサー器具として使用することで、病人や老人の平衡感覚機能や足腰の衰えた筋肉の訓練・回復に効果がある。尚、その場合には、足置き健康具１を床に置き、手摺りなどに掴まった状態で両足を足載せ板２に載せ、手摺りから徐々に手を放してゆっくりとバランスをとることによって、平衡感覚及び筋力が養われることとなる。
【産業上の利用可能性】
【００３４】
上述の通り、本発明にかかる足置き健康器具１は、足載せ板２下面の略中央箇所に傾斜揺動の支点となる突起３あるいは球体５を設けて、あらゆる方向に傾斜揺動可能であるという極めて単純な構造であり、低コストでの商品化が図れ、しかも航空機等でのエコノミー症候群を防止する携帯用の足置き台として、また、車両やオフィス等で長時間同じ姿勢で座っていることで起こる足のむくみや疲れを解消する健康器具として、さらには、病人や老人の平衡感覚・筋力訓練用の個人用治療具として等々、その用途において幅広く提供することができるものであり、一家に一台備えることにで、家族の全員の健康管理器具として、その利用目的に応じて使用できるものである。
【００３５】
また、足首をあらゆる方向に傾斜揺動して柔軟にすることは、足の筋肉が柔らかくなり、その足の筋肉が血液ポンプの役割を果たて心臓の働きを助け、血液の循環を促して冷え性の解消につながる。また、歩く時の膝や股関節への衝撃を和らげ腰痛防止にもなるなど、その効果は抜群であって、産業上の利用可能性は非常に大である。
【図面の簡単な説明】
【００３６】
【図１】本発明にかかる足置き健康器具を示す斜視図である。
【図２】本発明にかかる足置き健康具の断面図である。
【図３】本発明にかかる足置き健康器具を示す斜視図である。
【図４】本発明にかかる足置き健康器具を示す斜視図である。
【図５】本発明にかかる足置き健康器具の使用状態を示す説明図である。
【図６】本発明にかかる足置き健康器具の使用状態を示す説明図である。
【図７】本発明にかかる足置き健康器具の使用状態を示す説明図である。
【符号の説明】
【００３７】
１    足置き健康器具
２    足載せ板
２ａ  凹部
２ｂ  切欠き部
３    突起
４    コマ
４ａ  軸受け部
５    球体
５ａ  回転軸孔
６    軸棒
７    足裏指圧用凸部
８    溝
９    緩衝材
１０    ストッパー機構
【図１】
2007202605.tif 000003
【図２】
2007202605.tif 000004
【図３】
2007202605.tif 000005
【図４】
2007202605.tif 000006
【図５】
2007202605.tif 000007
【図６】
2007202605.tif 000008
【図７】
2007202605.tif 000009